(57)【要約】      （修正有）【課題】造園、園芸等用として土壌中に埋設して、土壌改良材、人工土壌等として使用される黒曜石パーライトや真珠岩パーライト等の粒状鉱物からなる土壌用粒材を充填するための包装材、及びその包装材中に土壌用粒材を充填して構成された包装体に関し、透水性を維持させるという利点を有しつつ、現場まで運搬して施工するまでの間に水に濡れて不用意に分解して包装材が破損し、充填物であるパーライト等が離脱することがなく、また現場で施工して土壌への埋設後においても、所定期間までの間に充填物であるパーライト等の土壌用粒材を包装状態のまま所定位置に集合させた状態で位置させることができる、土壌用粒材の包装材及び包装体を提供する。【解決手段】土壌用粒材を包装するための包装材であって、紙製の基材３と、合成樹脂製のクロス４とを具備して構成したことを特徴とする。【選択図】図１
2005170453.tif 000002
【特許請求の範囲】
【請求項１】
土壌用粒材(2) を包装するための包装材であって、紙製の基材(3) と合成樹脂製のクロス(4) とを具備して構成されていることを特徴とする土壌用粒材の包装材。
【請求項２】
土壌用粒材(2) を包装するための包装材であって、２枚の紙製の基材(3) ，(3) 間に、合成樹脂製のクロス(4) を介装して構成されていることを特徴とする土壌用粒材の包装材。
【請求項３】
土壌用粒材(2) を包装材(1) 内に充填して構成された土壌用粒材の包装体であって、前記包装材(1) が、紙製の基材(3) と、合成樹脂製のクロス(4) とを具備して構成されていることを特徴とする土壌用粒材の包装体。
【請求項４】
土壌用粒材(2) を包装材(1) 内に充填して構成された土壌用粒材の包装体であって、前記包装材(1) が、２枚の紙製の基材(3),(3) 間に、合成樹脂製のクロス(4) を介装して構成されていることを特徴とする土壌用粒材の包装体。
【発明の詳細な説明】
【技術分野】
【０００１】
本発明は、造園、園芸等用として土壌中に埋設して、土壌改良材、人工土壌等として使用される黒曜石パーライトや真珠岩パーライト等の粒状鉱物からなる土壌用粒材を充填するための包装材、及びその包装材中に土壌用粒材を充填して構成された包装体に関する。
【背景技術】
【０００２】
一般に、黒曜石や真珠岩等の鉱物を発泡させたパーライトと称される鉱物発泡体は、軽量で排水性、保水性、通気性に優れていることから、造園、園芸等用として土壌中に混合、埋設等して、土壌改良材、人工土壌等の土壌用粒材として広く使用されている。たとえば客土の下の排水礫層や透水性の悪い土壌に混入して使用すれば、透水性を改善し、根腐れを防ぐことができる。さらに、通気性の悪いポット、プランター等に使用すれば、土壌中に活きた空気を与えて根腐れを防ぎ、軽量化にも役立つ。このように黒曜石や真珠岩等のパーライトは、大規模な造園工事から家庭用園芸まで広範囲に使用されている。
【０００３】
ところで、パーライトは本来ガラス質を呈する火成岩であり、その粒状物を袋詰め等にして運搬等する際には、粒同士の摩擦により磨耗するとガラス質の小片が発生し、袋を開封した際、皮膚に触れると炎症を起こすこともある。また粉塵の飛散等により付近の住宅環境の汚染の原因にもなる。このため多量に施工する場合は、飛散防止等の特別の配慮を必要とし、家庭園芸用としても注意する必要があった。
【０００４】
パーライトを包装材に収容し、開封せずそのまま使用すれば上述のような問題は生じないが、この場合には包装材には一定以上の透水性が要求される。
このような観点から、パーライトをネット状の包装材に収容して透水性を具備させたものが土木用及び造園工事の一部に使用されているが、このようなネット状の包装材に収容したものは、充填物であるパーライトが、ネット状包装材の網目を介して表面に裸出することになるので、やはり上述のようなガラス質小片の問題点を解決することはできない。      
【０００５】
そこで、このような問題点を解決するために、下記特許文献１のような発明もなされている。
【特許文献１】特開平８−70693 号公報
【０００６】
この特許文献１に係る発明は、パーライトを包装する包装材として透水紙を用いたものであり、それによって、ガラス質小片の飛散等の問題を生じさせることがなく、しかも透水性を維持させることを可能としたものである。
【０００７】
しかし、このような特許文献１に開示された包装材は、透水紙で構成されているので、このような包装材を現場まで運搬し、現場で施工するまでの間に水に濡れたりすると、紙が水によって分解し、施工時までの間にたとえば包装材の底等が破損することにより、充填物であるパーライト等が不用意に離脱するおそれがあるという問題点があった。
【０００８】
また、このような包装材は、現場の土壌で所定位置に設置したい場合があり、現場で施工するまでの間に破損しなくとも、土壌への埋設後、所定期間までの間に包装材が破損すると、充填物であるパーライト等が所定位置から分散し、包装状態のまま所定位置に集合させた状態で位置させることができず、この種包装状態で施工される土壌改良材、人工土壌等としての本来の機能を喪失させるという問題点があった。
【発明の開示】
【発明が解決しようとする課題】
【０００９】
本発明は、このような問題点を解決するためになされたもので、透水性を維持させるという利点を有しつつ、現場まで運搬して施工するまでの間に水に濡れて不用意に分解して包装材が破損し、充填物であるパーライト等が離脱することがなく、また現場で施工して土壌への埋設後においても、所定期間までの間に充填物であるパーライト等の土壌用粒材を包装状態のまま所定位置に集合させた状態で位置させることができる、土壌用粒材の包装材及び包装体を提供することを課題とする。
【課題を解決するための手段】
【００１０】
本発明は、このような課題を解決するためになされたもので、請求項１記載の発明は、土壌用粒材２を包装するための包装材であって、紙製の基材３と、合成樹脂製のクロス４とを具備して構成したことを特徴とする。
【００１１】
また、請求項２記載の発明は、土壌用粒材２を包装するための包装材であって、２枚の紙製の基材３，３間に、合成樹脂製のクロス４を介装して構成したことを特徴とする。
【００１２】
さらに、請求項３記載の発明は、土壌用粒材２を包装材１内に充填して構成された包装体であって、紙製の基材３と、合成樹脂製のクロス４とを具備して包装材１が構成されていることを特徴とする。
【００１３】
さらに、請求項４記載の発明は、土壌用粒材２を包装材１内に充填して構成された土壌用粒材の包装体であって、２枚の紙製の基材３，３間に、合成樹脂製のクロス４を介装して包装材１が構成されていることを特徴とする。
【００１４】
基材３の材質としては、たとえばクレープ加工紙のようなものが用いられる。また、合成樹脂製のクロス４としては、合成樹脂製の割符やネットが用いられる。
【発明の効果】
【００１５】
本発明の土壌用粒材の包装材は、紙製の基材３と、合成樹脂製のクロス４とを具備して構成し、或いは２枚の紙製の基材３，３間に、合成樹脂製のクロス４を介装して構成したものであるため、このような包装材１にパーライト等の土壌用粒材２を充填し、現場まで運搬して施工するまでの間に、仮に包装材１が水に濡れて基材３の部分が水により軟化し、劣化し、或いは脆弱化したとしても、包装材１には合成樹脂製のクロス４が具備されているので、充填物であるパーライト等が離脱することがなく、また現場で施工して土壌への埋設後においても、所定期間までの間に紙製の基材３が微生物や水等によって分解しても、合成樹脂製のクロス４によって充填物であるパーライト等を包装状態のまま所定位置に集合させた状態で位置させることができる。
【００１６】
一方、現場まで運搬して施工するまでの間に、水に濡れて基材４の部分が軟化、劣化、或いは脆弱化しない限りは、包装材１に具備された紙製の基材３は一定の強度を保持しているので、土壌用粒材２の粒同士の摩擦によりガラス質の小片が発生しても、取り扱い時に皮膚に触れて炎症を起こすことも防止され、或いは粉塵の飛散等により付近の住宅環境の汚染の原因になることもない。
【発明を実施するための最良の形態】
【００１７】
一実施形態の土壌用粒材の包装材１は、図１及び図２に示すように、２枚の紙製の基材３，３を具備し、該紙製の基材３，３間に、合成樹脂製のクロス４が介装されて構成されたものである。
【００１８】
基材３を構成する紙としては、本実施形態ではクレープ加工紙からなるものが用いられている。ここでクレープ加工紙とは、皺が形成されるように加工された紙で、皺加工されている点では一般のクレープ紙と同じであるが、サイズ材が含まれていない点で一般のクレープ紙と異なる。また、合成樹脂製のクロス４としては、本実施形態では割符からなるものが用いられている。より具体的には、たとえばポリエチレンやポリプロピレンからなる割符が用いられる。
【００１９】
この割符からなるクロス４は、図１に点線で示すように、縦横に交差するよう略等間隔ごとに配置されており、図３に示すように、一般の織布を編成する場合と同様に、縦横一方のクロス４が、略等間隔に配置されている他方のクロス４を上下交互に通過するような状態で編成されている。  
【００２０】
図４及び図５は、包装体の実施形態を示す図である。この包装体５は、同図に示すように、包装材１で構成される袋状部内に、黒曜石パーライトからなる土壌用粒材２が充填された構成からなるものである。より具体的には、表裏に配置された包装材１の上下を縫製或いは熱シール等により封止部６，６を形成するとともに、側縁部も図示しないが同様に封止されて全体が細長い略矩形の袋状とされ、その袋状の内部に土壌用粒材２が充填されている。
【００２１】
そして、このような構成からなる包装体５は、図６に示すように、樹木７の周辺部の土壌９に埋設して使用される。より詳細に説明すると、樹木７を立設させている根鉢８の側面部及び底面部に沿って上記包装体５を複数個配置し、その状態で根鉢８及び包装体５を土壌９に埋設した状態とする。さらに、根鉢８の底面部の下方にも上記包装体５が複数個横向きに配置された状態で土壌９に埋設され、これら横向きに配置された複数の包装体５によって排水層が形成されることとなる。
【００２２】
このように根鉢８及び包装体５が土壌に埋設された状態において、黒曜石パーライトからなる土壌用粒材２が充填された包装体５が根鉢の側面部及び底面部に配置されているので、包装体５中に充填された土壌用粒材２の保水性、通気性等に起因する土壌改良材としての機能により、樹木の生育が図られる。さらに、このような包装体５は、根鉢８より深い位置にも配設された状態で土壌９中に埋設されているので、土壌用粒材２の排水性に起因して上記根鉢８より深い位置に配設された包装体５が排水層として機能する。
【００２３】
この場合において、包装体５の外側は、クレープ加工紙からなる基材３，３間に合成樹脂製のクロス４を介装して構成された包装材１で構成されているので、内部の土壌用粒材２の機能を発揮させる上で必要な透水性が、基材３を構成するクレープ加工紙や、縦横に網状に配置されたクロス４によって維持される。その一方で、所定期間経過後は、水分や土中の微生物によってクレープ加工紙からなる基材３は分解される。
【００２４】
しかし、２枚の基材３，３間に合成樹脂製のクロス４が介装されているので、このように樹木７が植設された現場まで包装体５を運搬し、施工するまでの間に、仮に基材３，３が水分で濡れて一部が不用意に破損しても、充填されている土壌用粒材２が外部に離脱するようなこともないのである。
所定期間経過後は、上述のようにクレープ加工紙からなる基材３は分解されるが、合成樹脂製のクロス４は残存するので、土壌用粒材２は包装された状態のまま、所定位置に維持されることとなる。
【００２５】
尚、上記実施形態では、包装紙１の基材３がクレープ加工紙で構成されていたが、基材３の材質はこれに限定されるものではなく、一般のクレープ紙やクラフト紙で構成されていてもよい。また、それ以外の材質のものを用いることも可能であり、その材質は問わないものである。
ただし、クレープ加工紙やクレープ紙で基材３を構成した場合には、皺の存在によって水との接触面積が大きくなり、透水性がより良好になるという利点がある。尚、クレープ紙の場合はサイズ材が含まれているので、基材３の分解後にサイズ材が土壌に残存することとなり、環境破壊防止の観点からはサイズ材が含まれていないクレープ加工紙を用いるのがより好ましい。
また、基材３を構成する紙としては、リサイクル可能な素材のもの、特に100％の再生紙を用いるのが好ましい。
【００２６】
また、該実施形態では、クロス４として割符を使用したが、クロス４の種類はこれに限定されるものではなく、たとえばネットを用いることも可能である。また材質も、上記実施形態のようなポリプロピレンやポリエチレン等のポリオレフィン樹脂の他、ポリエチレンテレフタレート等のポリエステル系樹脂を用いることも可能であり、その材質は問わないものである。
【００２７】
さらに、土中での分解を良好にし、環境破壊を防止する観点からは、クロス４を生分解性樹脂で構成することも可能である。
【００２８】
さらに、上記実施形態では、合成樹脂製のクロス４が紙製の基材３，３間に単に介装されて包装材１が構成されていたが、基材３とクロス４とは、ラミネート層を介して貼着されていてもよい。ラミネート層を構成する樹脂としては、ポリプロピレンやポリエチレン等のポリオレフィン樹脂を用いることができ、これ以外にもポリエチレンテレフタレート等のポリエステル系樹脂を用いることができる。クロス４とラミネート層との不用意な剥離を防止するためには、クロス４を構成する樹脂とラミネート層を構成する樹脂とは同じ材質のものを用いるのが好ましい。
ただし、土壌中では紙は分解されるが合成樹脂は分解されないので、環境破壊を防止する観点からは、本来このようなラミネート層は存在しない方が好ましい。
【００２９】
さらに、上記実施形態では、２枚の紙製の基材３，３間に合成樹脂製のクロス４を介装して包装材１が３層に形成されていたが、これに限らず、紙製の基材３と合成樹脂製のクロス４との２層で包装材１を構成することも可能である。
２層で構成する場合も、上述のようにラミネート層を介して基材３とクロス４とを貼着することが可能であるが、環境破壊を防止する観点からは、ラミネート層を介して貼着することなく、単に基材３とクロス４とを重ね合わせて包装材１を構成する方が好ましい。たとえば紙製の基材３のみを袋状に形成するとともにクロス４を袋状に形成し、一方の袋を他方の袋の中に挿入して包装材１を形成することが可能である。その場合、外側を基材３で構成するとともに内側をクロス４で構成し、或いはその逆に外側をクロス４で構成するとともに内側を基材３で構成することが可能である。また、袋状に形成しない場合であっても、内外いずれを基材３、クロス４で構成することも可能である。
【００３０】
さらに、上記実施形態では、土壌用粒材２として黒曜石パーライトを用いる場合について説明したが、土壌用粒材２の種類は該実施形態に限定されるものではなく、真珠岩パーライトを用いてもよく、それ以外の鉱物の粒状物を用いることも可能である。
また粒状物の素材も鉱物に限らず、たとえば発泡スチロール製の粒状物、石の砕片、木材の砕片、礫片、プラスチックのペレット状物、ガラスカレット（ガラスを砕いて発泡させたもの）、砂、コンクリートの砕片等のものであってもよい。要は包装材１内に充填して土壌改良材、人工土壌、或いは排水層等の用途に適用しうる土壌用の粒材として使用しうるようなものであればよく、その粒材の材質は問うものではない。
【００３１】
さらに、上記実施形態では、根鉢８が埋設される土中のいわゆる地下部分に包装体５を配置して施工する場合について説明したが、このような土中の地下部分に施工する場合に限らず、たとえば屋上庭園等に施工するような場合にも適用することができる。その一例としては、たとえば図７に示すように、屋上庭園等におけるコンクリート製等の基盤10の上に土壌９を積層し、その土壌９中に根鉢８を埋設するとともに、上記実施形態と同様に根鉢８の周囲に複数の包装体５を配置する。ただし、この図７の実施形態では、上記図６の実施形態のように根鉢８に沿わせて包装体５が配置されず、根鉢８と所定間隔隔てて包装体５が配置されている。
また、排水層を構成する包装体５は、土壌９の層の最深部であって、土壌９と基盤10との境界部分に配置される。
【００３２】
このような土壌９と基盤10との境界部分の排水層の部分においては、一般には該境界部分にネット等が敷設され、そのネット上に非包装状態の土壌用粒材２が散在状態で配設されているが、本実施形態においては、基材３が分解された後においても、合成樹脂製のクロス４で土壌用粒材２が包装された状態となっているので、土壌用粒材２が基盤10へ不用意に侵入することがなく、土壌９の底部の位置に維持され、排水層としての機能が喪失されることもなく、しかも合成樹脂製のクロス４が従来敷設されていたネットと同様に機能するので、その敷設されていた従来のネットが不要となる利点がある。
しかも、縦横に編成されたクロス４であるので、従来のネットと同様にフィルターとしての機能も有する。
【００３３】
さらに、上記図６や図７の実施形態では、包装体５を根鉢８の側面部及び底面部に配置し、さらに根鉢８の下方の部分、或いは土壌９と基盤10との境界部分にも配置したが、包装体５を配置する場所は該実施形態に限定されるものではなく、たとえば根鉢８の周囲のみに包装体５を配置して土壌改良材として用いることが可能であり、さらには根鉢８の下方の部分、又は土壌９と基盤10との境界部分にのみ配置して排水層としてのみ用いることも可能である。
【００３４】
さらに包装体５は、これ以外の用途に用いることも可能であり、その用途は問うものではない。
【産業上の利用可能性】
【００３５】
本発明の粒状鉱物を充填するための包装材、及び包装体は、造園、園芸等用として土壌中に埋設して、土壌改良材や人工土壌としての用途に、或いは土壌の深部又は土壌と基盤との境界部分における排水層として広く使用されるものである。
【図面の簡単な説明】
【００３６】
【図１】一実施形態の包装材の要部正面図。
【図２】図１のＡ−Ａ線拡大断面図。
【図３】クロスの編成状態を示す要部拡大断面図。
【図４】包装体の正面図。
【図５】図４のＢ−Ｂ線断面図。
【図６】包装体の施工状態を示す概略断面図。
【図７】他実施形態の包装体の施工状態を示す概略断面図。
【符号の説明】
【００３７】
１…包装材                ２…土壌用粒材                                        ３…基材                  ４…クロス
【図１】
2005170453.tif 000003
【図２】
2005170453.tif 000004
【図３】
2005170453.tif 000005
【図４】
2005170453.tif 000006
【図５】
2005170453.tif 000007
【図６】
2005170453.tif 000008
【図７】
2005170453.tif 000009